(57)【要約】【課題】細かい目のフィルタを用いてエアモータまで塵埃が達するのを防止できるとともにフィルタの目詰まりを解消させることができるエアツールのフィルタの洗浄装置を提供する。【解決手段】エア供給源からのエア供給管に接続されるエア供給路１０と、エア供給路１０の途中に配されたフィルタ４と、フィルタ４の上流側に配されたバルブ５とを備えている。フィルタ４上流側のエア供給路１０が、エアモータ駆動路２とフィルタ洗浄路３とに二分割されている。バルブ５が、エアモータ駆動路の開閉を行なう駆動制御路５ａと、エアモータ駆動路２が開かれた際にフィルタ洗浄路３を閉じ、エアモータ駆動路２が閉じられた際にフィルタ洗浄路３を開く洗浄制御路５ｂと、洗浄制御路５ｂが開いた際に、エアモータ駆動路５ａのフィルタ４上流側とエアツール外部とを連通させる排出路５ｃとを有している。【選択図】図１
2005095990.tif 000002
【特許請求の範囲】
【請求項１】
エア供給源からのエア供給管に接続されるエア供給路と、
エア供給路の途中に配されたフィルタと、
フィルタの上流側に配されたバルブとを備え、
フィルタ上流側のエア供給路が、エアモータ駆動路とフィルタ洗浄路とに二分割され、
バルブが、エアモータ駆動路の開閉を行なう駆動制御路と、
エアモータ駆動路が開かれた際にフィルタ洗浄路を閉じ、エアモータ駆動路が閉じられた際にフィルタ洗浄路を開く洗浄制御路と、
洗浄制御路が開いた際に、エアモータ駆動路のフィルタ上流側とエアツール外部とを連通させる排出路とを有し、
フィルタ洗浄路から供給されてフィルタを通過したエアが、再びフィルタを逆方向に通過してフィルタ上流側のエアモータ駆動路に戻り、排出路からツール外部に排出されるようになっている、エアツールのフィルタ洗浄装置。
【請求項２】
バルブが円柱状をなし、バルブに設けた洗浄制御路と駆動制御路とがバルブを平面から見たさいに直交するように形成されており、バルブを９０度回転させることで各供給路の開閉が行なわれるようになっている、請求項１記載のフィルタ洗浄装置。
【請求項３】
エアモータ駆動路とフィルタ洗浄路とが共にフィルタ部に開口している、請求項１または２に記載のフィルタ洗浄装置。
【発明の詳細な説明】
【技術分野】
【０００１】
本発明は、エアツールのフィルタ洗浄装置に関する。詳しくはフィルタを取り付けた状態でフィルタを洗浄しうるフィルタ洗浄装置に関する。
【背景技術】
【０００２】
例えば複数のグラインダを雰囲気の悪い作業環境で取り替えて使用する場合、使用していないグラインダ、すなわちエア供給源からのエア供給管に接続されていないグラインダはエア供給管接続部が開いたままであり、接続部から塵埃が入りやすい。グラインダの内部に塵埃がはいってしまうことがある。この状態で接続部にエア供給管をつないでグラインダを駆動すると、塵埃がグラインダ内部に入り、エアモータまで達してエアモータのベーンの磨耗などの問題が生じる。そこで、塵埃がエアモータまで達するのを防止するため、グラインダ内のエア供給路にフィルタを設けることが一般に行なわれている。
【発明の開示】
【発明が解決しようとする課題】
【０００３】
しかし、フィルタの目を細かくすると目詰まりが起こりやすくなるため、フィルタを頻繁に掃除する必要が生じるが、フィルタの洗浄を行なうにはエアツールを分解しなければならず、手間がかかるという問題がある。
【０００４】
一方、掃除の手間を省くため、フィルタの目を粗くすると小さな塵埃がエアモータに達するのを防止することができず、エアモータのベーンの磨耗などの問題が解決しない。  
【０００５】
本発明は、上記問題を解決することを課題とし、細かい目のフィルタを用いてエアモータまで塵埃が達するのを防止できるとともにフィルタの目詰まりを解消させることができるエアツールのフィルタの洗浄装置を提供することを目的とする。
【課題を解決するための手段】
【０００６】
上記課題を解決するために、本発明のフィルタ洗浄装置は、エア供給源からのエア供給管に接続されるエア供給路と、エア供給路の途中に配されたフィルタと、フィルタの上流側に配されたバルブとを備え、フィルタ上流側のエア供給路が、エアモータ駆動路とフィルタ洗浄路とに二分割され、バルブが、エアモータ駆動路の開閉を行なう駆動制御路と、エアモータ駆動路が開かれた際にフィルタ洗浄路を閉じ、エアモータ駆動路が閉じられた際にフィルタ洗浄路を開く洗浄制御路と、洗浄制御路が開いた際に、エアモータ駆動路のフィルタ上流側とエアツール外部とを連通させる排出路とを有し、フィルタ洗浄路から供給されてフィルタを通過したエアが、再びフィルタを逆方向に通過してフィルタ上流側のエアモータ駆動路に戻り、排出路からツール外部に排出されるようになっているものである。
【０００７】
上記洗浄装置において、バルブが円柱状をなし、バルブに設けた洗浄制御路と駆動制御路とがバルブを平面から見たさいに直交するように形成されており、バルブを９０度回転させることで各供給路の開閉が行なわれるようになっていることが好ましい。
【０００８】
さらに、エアモータ駆動路とフィルタ洗浄路とが共にフィルタ部に開口していることがある。
【発明の効果】
【０００９】
請求項１記載のフィルタ洗浄装置によれば、フィルタ洗浄路から供給されたエアは、フィルタを通過した後、エアモータ駆動路から供給されたエアが通過するフィルタの部分を下流側から上流側へ逆方向に通過してエアモータ駆動路から排出路を通って排出される。排出されるエアは、フィルタに付着した塵埃を吹き飛ばして排出路からエアツール外部に排出する。このため、フィルタの目詰まりが起こった際に、エアツールを分解すること無しに容易にフィルタの目詰まりを解消できる。したがってフィルタの洗浄に手間がかからないので洗浄を頻繁に行なうことが可能となる。また、目の細かいフィルタを使用できるで小さな塵埃がエアモータに達するのを防止することができ、エアモータの磨耗などの問題が生じない。
【００１０】
請求項２記載のフィルタ洗浄装置によれば、バルブを簡単に構成できる。また、このフィルタの洗浄装置によれば、エア供給源からのエア供給管路から取り外した状態のエアツールはエアモータ駆動路が開き、フィルタ洗浄路が閉じている。したがってエアモータ駆動路内に塵埃が入るが、この塵埃は、エアモータ駆動路から供給されたエアが通過するフィルタの部分に溜まり、フィルタ洗浄路から供給されたエアが通過するフィルタの部分には溜まらない。このため、フィルタ洗浄路から供給されたエアは速やかにフィルタ下流へと流れる。そして、再びフィルタを逆方向に通過してフィルタ上流側のエアモータ駆動路に戻るので、エアモータ駆動路から供給されたエアが通過するフィルタの部分に溜まった塵埃を有効に排出できる。
【発明を実施するための最良の形態】
【００１１】
以下、図１〜図６を参照して本発明の一実施形態のエアツールのフィルタ洗浄装置について説明する。なお、以下の説明において前とは図１の左側を、後とは図１の右側をいうものとする。
【００１２】
図1には、エアツールのフィルタ洗浄装置をグラインダＧに適用した例が示されている。  
【００１３】
グラインダ本体１の後部に、図示しないエア供給源からのエア供給管をグラインダＧに接続するための接続部材７が取り付けられている。グラインダ本体１内および接続部材７内には、グラインダ本体１内部に収められた図示しないエアモータにエアを導くためのエア供給路１０が形成されている。
【００１４】
エア供給路１０は、前後方向に伸びており、接続部材７後端で開口しているとともに途中にフィルタ４が配されている。フィルタ４は、円板状をなす金網で構成され、周縁部がグラインダ本体１後端面と接続部材７とで狭持されている。
【００１５】
エア供給路１０のフィルタ４の下流側にはバネ８が配され、このバネ８によりボール９が支持されている。ボール９は、エア供給路１０の開閉を行なってエアモータへのエアの供給および停止を行なうためのものである。ボール９は通常バネ８により支持されてエア供給路１０を閉鎖しているが、グリップ１１を回転させることによりボール９が動かされてエア供給路１０を開放する。なお、グリップ１１レバーによりボール９を動かせてエア供給路を開閉する構成は公知のものであるので詳細な説明は省略する。
【００１６】
接続部材７には、エア供給路１０に直交する貫通孔があけられ、この貫通孔に略円柱状をなすバルブ５が軸回りに回転自在に挿入されている。バルブ５の下部は、接続部材７より下方に突出しており、この突出部分がバルブ５を回転させるためのつまみとなっている。
【００１７】
そして、接続部材７内のフィルタ４までのバルブ下流側が上下に二分され、上側がエアモータを駆動するためのエアモータ駆動路２とされ、下側が、フィルタを洗浄するためのフィルタ洗浄路３とされている。フィルタ４より下流側においては、エア供給路１０は分割されておらず、フィルタ４には、エアモータ駆動路２とフィルタ洗浄路３とが共に開口していることになる。  
【００１８】
バルブ５には、エアモータ駆動路２と連通する駆動制御路５ａが形成されている。また、フィルタ洗浄路３と連通する洗浄制御路５ｂが、平面から見て駆動制御路５ａと直交するように形成され、バルブ５を９０度回転させることにより駆動制御路５ａおよびエアモータ駆動路２または洗浄制御路５ｂおよびフィルタ洗浄路３の一方が連通するようになっている。
【００１９】
なお、エアモータ駆動路２と駆動制御路５ａの管路断面積は、フィルタ洗浄路と洗浄制御路５ｂの管路断面積に比べ相当大きく設定されている。
【００２０】
さらに、バルブ５には、洗浄制御路５ｂとフィルタ洗浄路３とが連通したさいにエアモータ駆動路２とグラインダＧ外部とを連通する排出路５ｃが形成されている。排出路５ｃは、グラインダＧ外部に開口している垂直部分とエアモータ駆動路２に開口する二つの傾斜部分とよりなる。
【００２１】
また、バルブ５には、中心角がほぼ９０度をなす円弧状切り欠き５ｄが形成され、この切り欠き５ｄ内に接続部材７に取り付けられたピン６が位置し、バルブ５が９０度以上回転しないようになっている。
【００２２】
上記のような構成を有するフィルタ洗浄装置は以下のようにして用いられる。図１におけるバルブ５が、図２および図３に示した状態である際は、グラインダＧのエア供給路１０に供給されたエアは、駆動制御路５ａおよびエアモータ駆動路２を通過してフィルタ４下流下方へと流れる。この状態では、グリップ１１を操作してボール９を動かすことによりエアモータへのエアの供給および停止が行なわれ、グラインダＧを作動させることができる。なお、この際ピン６は、図２（ｂ）に示したように切り欠き５ｄの一端に位置している。
【００２３】
作動中においてフィルタ４の上流側のエアモータ駆動路２が開口している部分に塵埃が溜まり、フィルタ４の目詰まりが生じた際は、以下のようにしてフィルタ４の洗浄を行なう。まず、グラインダＧを停止させる。次いでバルブ５を図２および図３に示した状態から９０度回転させ、図４〜図６に示した状態とする。なお、この際ピン６は、図４（ｂ）に示したように切り欠き５ｄの他端に位置している。
【００２４】
この状態では、洗浄制御路５ｂおよびフィルタ洗浄路３を通過してエアが供給される。供給されたエアはフィルタ４を通過してフィルタ４下流側へと流れるが、ボール９がエアモータへのエア供給路を遮断しているので、エアは再度フィルタ４を通過してエアモータ駆動路２へと逆流し、排出路５ｃからグラインダＧ外部へと排出される。エアが排出される際、フィルタ４の上流側のエアモータ駆動路２が開口している部分に溜まった塵埃は、エアとともに外部へと排出され、フィルタ４の目詰まりが解消される。
【００２５】
なお、本発明のエアツールのフィルタ洗浄装置は、上記実施形態のものには限られず、適宜変更自在である。例えば、バルブを上下方向にスライドさせることにより、駆動制御路第一および洗浄制御路の開閉が行なわれるようにしてもよい。また、駆動制御路と洗浄制御路とが平面から見て例えば６０度の角度をなして交わり、バルブを６０度回転させることにより各供給路の開閉が行なわれるようになっていてもよい。
【図面の簡単な説明】
【００２６】
【図１】本発明の一実施形態であるエアツールのフィルタ洗浄装置が適用されたグラインダの一部切り欠き正面図である。
【図２】グラインダ作動状態における同フィルタ洗浄装置のバルブを示す図であり、(ａ)は、垂直断面図、（ｂ）は、制御路の関係を示すｂ−ｂ線に沿った断面図である。
【図３】図２(ａ)のIII−III線に沿った断面図である。
【図４】フィルタ洗浄状態における同フィルタ洗浄装置のバルブを示す図であり、(ａ)は、垂直断面図、（ｂ）は、制御路の関係を示すｂ−ｂ線に沿った断面図である。
【図５】図４（ａ）のV−V線に沿った断面図である。
【図６】フィルタ洗浄状態における同フィルタ洗浄装置のバルブの平面図である
【符号の説明】
【００２７】
１    グラインダ本体
２    エアモータ駆動路
３    フィルタ洗浄路
４    フィルタ
５    バルブ
５ａ  駆動制御路
５ｂ  洗浄制御路
５ｃ  排出路
５ｄ  円弧状切り欠き
６    ピン
７    接続部材
８    バネ
９    ボール
１０  エア供給路
１１  グリップ
【図１】
2005095990.tif 000003
【図２】
2005095990.tif 000004
【図３】
2005095990.tif 000005
【図４】
2005095990.tif 000006
【図５】
2005095990.tif 000007
【図６】
2005095990.tif 000008